(57)【特許請求の範囲】
【請求項１】
発信側端末から着信側端末への発信時に前記発信側端末から呼出音として出力すべき音源データを前記発信側端末に配信する呼出音管理装置であって、
前記発信側端末と前記着信側端末との通話が可能な場合に、前記発信側端末と前記着信側端末との距離を演算する距離演算手段と、
前記距離演算手段により演算された距離に基づいて、前記発信側端末から出力すべき音源データを決定する音源決定手段と、
前記発信側端末から前記着信側端末への発信時に前記発信側端末から出力すべき音源データの組合せを表す呼出音パターンを記憶する呼出音パターン記憶手段と
を備え、
前記呼出音パターンは、前記着信側端末と前記発信側端末との距離に基づいて決定すべき音源データと、前記着信側端末を利用する着信者が置かれている状態を表すプレゼンス情報に関連する音源データと、を含むことが可能であり、
前記音源決定手段は、前記呼出音パターン記憶手段に記憶されている呼出音パターンに基づいて、前記発信側端末に配信すべき音源データを決定することを特徴とする呼出音管理装置。
【請求項２】
前記音源決定手段は、前記距離演算手段により演算された距離を通知するための音源データを、前記発信側端末から出力すべき音源データとして決定することを特徴とする請求項１に記載の呼出音管理装置。
【請求項３】
前記発信側端末と前記着信側端末との距離が近いか否かの判断基準となる近距離判断用閾値を記憶する近距離判断用閾値記憶手段をさらに備え、
前記音源決定手段は、
前記距離演算手段により演算された距離が前記近距離判断用閾値記憶手段に記憶された近距離判断用閾値以下である場合に、前記着信側端末が近距離に存在することを通知するための音源データを、前記発信側端末から出力すべき音源データとして決定することを特徴とする請求項１に記載の呼出音管理装置。
【請求項４】
前記近距離判断用閾値記憶手段と、前記呼出音パターン記憶手段と、の少なくとも一方に記憶されている情報の少なくとも一部を、前記着信側端末からの設定入力に基づいて変更する設定変更手段をさらに備えたことを特徴とする請求項３に記載の呼出音管理装置。
【発明の詳細な説明】
【技術分野】
【０００１】
本発明は、発信側端末から着信側端末への発信時に、発信側端末から出力する呼出音を管理する呼出音管理装置に関する。
【背景技術】
【０００２】
従来、回線交換方式を利用した通信では、発信側端末から着信側端末への発信時に、着信側端末に呼出要求を送信中であることを発信側端末に知らせるために、交換機から発信側端末に対して固定の呼出音が配信されていた。
この呼出音に関して、着信者が発信側端末に対して任意の音源データを配信できるようにする技術として、例えば特許文献１から特許文献３に記載された技術が存在する。特許文献１には、着信者が予め呼出音となる音源データを設定し、当該音源データを発信側端末に配信する技術が記載されている。特許文献２には、着信者の置かれている状態（以下「プレゼンス情報」という）に応じた呼出音を発信側端末に送信する技術が記載されている。また、特許文献３には、着信側端末の存在する場所を通知するためのメッセージを発信側端末に送信する技術が記載されている。
【特許文献１】特開２００３−２７４０１６号公報
【特許文献２】特開２００５−２７７４５０号公報
【特許文献３】特開２００５−２７８０７８号公報
【発明の開示】
【発明が解決しようとする課題】
【０００３】
このように、従来、発信側端末から出力される呼出音に関して様々な工夫がなされているが、発信者は着信側端末が存在する場所を通知されても、その場所を知らない場合には役立たないという問題がある。また、待ち合わせをしている時や緊急の用がある時などは、発信者は着信者のプレゼンス情報よりも着信者がどの程度近くにいるのか知りたい場合がある。
しかしながら、従来においては、発信者は通話前に着信者のプレゼンス情報や着信者が居る場所を確認することはできたが、着信者との位置関係を確認することはできなかった。
本発明は、上記問題点を解決するためになされたものであり、発信側端末から着信側端末への発信時に、発信者が着信者との位置関係を知ることが可能な呼出音管理装置を提供することを目的とする。
【課題を解決するための手段】
【０００４】
上記課題を解決するために、請求項１に記載の発明は、発信側端末から着信側端末への発信時に前記発信側端末から呼出音として出力すべき音源データを前記発信側端末に配信する呼出音管理装置であって、前記発信側端末と前記着信側端末との通話が可能な場合に、前記発信側端末と前記着信側端末との距離を演算する距離演算手段と、前記距離演算手段により演算された距離に基づいて、前記発信側端末から出力すべき音源データを決定する音源決定手段と、前記発信側端末から前記着信側端末への発信時に前記発信側端末から出力すべき音源データの組合せを表す呼出音パターンを記憶する呼出音パターン記憶手段とを備え、前記呼出音パターンは、前記着信側端末と前記発信側端末との距離に基づいて決定すべき音源データと、前記着信側端末を利用する着信者が置かれている状態を表すプレゼンス情報に関連する音源データと、を含むことが可能であり、前記音源決定手段は、前記呼出音パターン記憶手段に記憶されている呼出音パターンに基づいて、前記発信側端末に配信すべき音源データを決定することを特徴とする呼出音管理装置を提供する。
本発明によれば、呼出音管理装置は、発信側端末と着信側端末との距離に基づいて発信側端末から出力すべき音源データを決定し、該決定された音源データを発信側端末へ配信するため、発信側端末から着信側端末への発信時に発信者は着信者との位置関係を知ることが可能となる。また、発信者は、発信側端末から着信側端末への発信時に、着信者との位置関係に加えて、着信者のプレゼンス情報や居場所を知ることが可能となる。
【０００５】
請求項２に記載の発明は、請求項１に記載の呼出音管理装置において、前記音源決定手段は、前記距離演算手段により演算された距離を通知するための音源データを、前記発信側端末から出力すべき音源データとして決定することを特徴とする。
本発明によれば、音源決定手段は、発信側端末から着信側端末への発信時に、発信者は着信者が自分からどのくらい離れた位置に居るのかを具体的に知ることが可能となる。
【０００６】
請求項３に記載の発明は、請求項１に記載の呼出音管理装置において、前記発信側端末と前記着信側端末との距離が近いか否かの判断基準となる近距離判断用閾値を記憶する近距離判断用閾値記憶手段をさらに備え、前記音源決定手段は、前記距離演算手段により演算された距離が前記近距離判断用閾値記憶手段に記憶された近距離判断用閾値以下である場合に、前記着信側端末が近距離に存在することを通知するための音源データを、前記発信側端末から出力すべき音源データとして決定することを特徴とする。
本発明によれば、呼出音管理装置は、発信側端末と着信側端末との距離が近距離判断用閾値以下の場合に、着信側端末が近距離に存在することを通知するための音源データを、発信側端末から出力すべき音源データとして決定するため、発信者は着信者が近い距離に居る場合にのみ、その旨を知ることが可能となる。
【０００８】
請求項４に記載の発明は、請求項３に記載の呼出音管理装置において、前記近距離判断用閾値記憶手段と、前記呼出音パターン記憶手段と、の少なくとも一方に記憶されている情報の少なくとも一部を、前記着信側端末からの設定入力に基づいて変更する設定変更手段をさらに備えたことを特徴とする。
本発明によれば、着信者は発信者端末から出力される呼出音のパターンを自由に設定変更することができる。
【発明の効果】
【０００９】
本発明によれば、呼出音管理装置は、発信側端末と着信側端末との距離に基づいて発信側端末から出力すべき音源データを決定し、該決定された音源データを発信側端末へ配信するため、発信側端末から着信側端末への発信時に、発信者は着信者との位置関係を知ることが可能となる。
【発明を実施するための最良の形態】
【００１０】
以下、本発明の実施形態について図面を参照して説明する。なお、同一の部分には同一の符号を付して、重複する説明を省略する。
（全体構成）
図１は、本発明の実施形態に係る移動通信ネットワークの全体構成を示す図である。図１に示す移動体通信ネットワークは、複数の移動通信端末１０ａ、ｂ、・・・、ｎ、複数の基地局装置２０ａ、・・・、ｎ、複数の交換機３０ａ、・・・、ｎ、加入者情報管理装置４０、呼出音管理装置５０、及び、呼出音設定変更装置６０を含んで構成されている。移動通信端末１０ａ、ｂ、・・・、ｎ同士は、基地局装置２０ａ、・・・、ｎ、交換機３０ａ、・・・、ｎを介して通信が可能である。
【００１１】
それぞれの基地局装置２０ｘ（ｘ=ａ、ｂ、・・・、ｎ）には、データの中継を行うための交換機３０ｘが接続されている。また、それぞれの交換機３０ｘには、様々な呼出音を管理する呼出音管理装置５０が接続されている。さらに、それぞれの交換機３０ｘは、加入者情報管理装置４０とも接続されている。
加入者情報管理装置４０は、移動体通信サービスに加入している契約者が利用する各移動通信端末１０ｘが在圏している交換機３０ｘ及び基地局装置２０ｘの情報を管理する。また、加入者情報管理装置４０は、移動通信端末１０ｘ毎に、移動通信端末１０ｘの利用者が設定可能なプレゼンス情報（例えば、運転中、ミーティング中、移動中、通信可能等）を移動通信端末１０ｘから受信してデータベースに保存することにより、契約者の状態を管理する機能も具備している。
【００１２】
呼出音管理装置５０は、契約者毎の呼出音に関する設定情報を記憶するデータベースを具備している。そのデータベースに記憶される設定情報を契約者が自由にカスタマイズ可能とするため、呼出音管理装置５０には、移動通信端末１０ｘからの設定変更要求を受付ける呼出音設定変更装置６０が接続されている。
なお、以下では、発信側の移動通信端末１０ｘを「発信側端末１０ａ」、着信側の移動通信端末１０ｘを「着信側端末１０ｂ」という。
【００１３】
（呼出音管理装置の構成）
次に、呼出音管理装置５０の機能構成について説明する。図２は、呼出音管理装置５０の機能構成を示すブロック図である。同図に示すように、呼出音管理装置５０は、音源データベース５０９、加入者情報データベース５０８、基地局位置情報データベース５０７、呼出音パターン情報データベース５０６、通信制御部５０１、設定変更処理部５０２、ユーザ間距離演算部５０３、ユーザ状態判定部５０４、音源検索処理部５０５、音源決定部５１０等で構成される。
音源データベース５０９、加入者情報データベース５０８、基地局位置情報データベース５０７、及び、呼出音パターン情報データベース５０６は、呼出音管理装置５０が備える記憶装置に設けられたデータベースである。
【００１４】
図３には、音源データベース５０９のデータ構成の一例を示す。同図に示すように、音源データベース５０９には、音源データを識別するための「音源ＩＤ」と、音源データが記憶されている場所を示す「ディレクトリ／ファイル名」と、音源データの「内容」と、が対応付けられて記憶されている。音源データの種類としては、プレゼンス情報に関連する音源データ、発信側端末１０ａと着信側端末１０ｂとの距離に関連する音源データ、着信側端末１０ｂの位置に関連する音源データ等が存在する。距離に関連する音源データとしては、距離を通知するための音源データ（例えば、「接続先の端末は半径１ｋｍ以内にいます」）、発信側端末１０ａが近距離に存在することを通知するための音源データ（例えば、「接続先の端末は近くにいます」）等が存在する。
【００１５】
図４には、加入者情報データベース５０８のデータ構成の一例を示す。同図に示すように、加入者情報データベース５０８には、移動体通信サービスに加入している契約者を識別するための「契約者ＩＤ」と、発信側端末１０ａを利用している発信者を識別するための「発信者ＩＤ」と、契約者が置かれている状態を表す「プレゼンス情報」と、契約者が「プレゼンス情報」で示される状態に置かれている時に発信側端末１０ａから契約者が利用する着信側端末１０ｂに着信があった場合に、発信側端末１０ａから呼出音として出力すべき音源データを特定するための「音源ＩＤ」と、が対応付けられて記憶されている。
【００１６】
このように、加入者情報データベース５０８は、発信者毎に契約者（すなわち着信者、以下の説明では契約者が着信者となる場合を説明するため、「契約者」を適宜「着信者」ともいう）のプレゼンス情報に応じた音源データを設定可能な構成を有している。この構成により、着信者のプレゼンス情報に応じて発信側端末１０ａから出力すべき音源データを決定し、発信側端末１０ａを利用している発信者に着信者の状態を知らせる事を可能とする。
【００１７】
さらに、加入者情報データベース５０８には、発信者ＩＤ毎に「近距離用判断閾値」が設けられており（「近距離用判断閾値記憶手段」に対応）、発信者毎に「近距離用判断閾値」を設定可能な構成を有している。
当該「近距離用判断閾値」は、発信側端末１０ａと着信側端末１０ｂとの距離が近いか否かの判断基準として用いられる。発信側端末１０ａと着信側端末１０ｂとの距離が当該近距離用判断閾値以下である場合に、着信側端末１０ｂが近距離に居ることを通知するための音源データが発信側端末１０ａに配信される。この音源データが発信側端末１０ａから出力されることにより、着信者が近くにいることを音声でわかりやすく発信者に通知することができる。
【００１８】
図５には、近距離用判断閾値を用いて決定される音源データの一例を示す。発信側端末１０ａが利用する基地局装置２０ａが存在する場所をＬ（Ａ）、着信側端末１０ｂが利用する基地局装置２０ｂが存在する場所をＬ（Ｂ）とすると、発信側端末１０ａと着信側端末１０ｂとの距離Ｄは、Ｄ＝｜Ｌ（Ａ）−Ｌ（Ｂ）｜で表される。近距離用判断閾値Ｘが５ｋｍに設定されているとすると、発信側端末１０ａから着信側端末１０ｂへの発信時に、距離Ｄの値が５ｋｍ以内の場合に限り、音源データとしてガイダンス「接続先の端末は近くにいます」が決定され、当該ガイダンスが発信側端末１０ａに配信されて発信側端末１０ａから出力される（図５（ａ）参照）。一方、距離Ｄの値が５ｋｍを超える場合は、音源データとして通常ガイダンスが決定され、当該通常ガイダンスが発信側端末１０ａに配信されて発信側端末１０ａから出力される（図５（ｂ）参照）。これにより、発信者は、着信者が近い距離に居る場合にのみ、その旨を知ることができる。
【００１９】
図６には、近距離用判断閾値を用いないで決定される距離に関連する音源データの一例を示す。例えば、着信者が近距離用判断閾値の設定入力を行っていないため、加入者情報データベース５０８の契約者ＩＤ（すなわち「着信者ＩＤ」、以下、適宜「着信者ＩＤ」ともいう）及び発信者ＩＤに対応する「近距離用判断閾値」に値が設定されていない場合には、音源データとして発信側端末１０ａと着信側端末１０ｂとの距離Ｄを通知するガイダンス「接続先の端末は半径Ｄｋｍ以内にいます」が決定され、当該ガイダンスが発信側端末１０ａに配信されて発信側端末１０ａから出力される。これにより、発信者は、着信者が自分からどのくらい離れた位置に居るのかを具体的に知ることができる。
【００２０】
なお、距離に関連する音源データ決定に関連する項目として、図５に示す「近距離用判断閾値」を用いて音源データを決定する方法と、図６に示す「近距離用判断閾値」を用いないで音源データを決定する方法と、の何れの方法をとるかを選択するための項目を加入者情報データベース５０８に設けてもよく、着信者が当該項目を設定入力できるようにしてもよい。
図７には、基地局位置情報データベース５０７のデータ構成の一例を示す。同図に示すように、基地局位置情報データベース５０７は、基地局装置２０ｎ毎の位置情報を管理している。この位置情報は、着信側端末１０ｂが存在する場所を判定したり、発信側端末１０ａと着信側端末１０ｂとの距離を算出するために用いられる。
【００２１】
図８には、呼出音パターン情報データベース５０６のデータ構成の一例を示す。同図に示すように、呼出音パターン情報データベース５０６は、契約者ＩＤと発信者ＩＤとの組合せ毎に、発信側端末１０ａに配信する呼出音パターンを設定することが可能な構成を有している。呼出音パターンには、プレゼンス情報に関連する音源データと、発信側端末１０ａと着信側端末１０ｂとの距離に関連する音源データと、着信側端末１０ｂの位置に関連する音源データと、の１又は複数の組合せが含まれる。当該呼出音パターンは契約者の設定入力により設定可能であり、当該呼出音パターンにより、発信者が発信側端末１０ａから契約者が利用する着信側端末１０ｂに発信した時に、契約者、すなわち着信者のプレゼンス情報に応じた音源データを発信側端末１０ａに配信するのか、或いは発信者と着信者との距離に関連する音源データを配信するのか、それとも、複数の音源データの組合せ（例えば、発信者と着信者との距離と、着信者のプレゼンス情報との組合せ）を配信するのかを指定することが可能となる。
【００２２】
なお、当該呼出音パターン情報データベース５０６を用いて、発信側端末１０ａから出力される複数の音源データの出力順を設定できるようにしてもよい。
図２に戻り、設定変更処理部５０２、ユーザ間距離演算部５０３、ユーザ状態判定部５０４、音源検索処理部５０５、及び、音源決定部５１０は、呼出音管理装置５０が備えるＣＰＵ（Central Processing Unit）が記憶装置に記憶されているプログラムを実行することにより実現される機能である。
【００２３】
設定変更処理部５０２は、着信者の設定入力により着信側端末１０ｂから送信された設定変更要求を呼出音設定変更装置６０経由で受信し、当該設定変更要求の内容に応じて、加入者情報データベース５０８、呼出音パターン情報データベース５０６、或いは、音源データベース５０９に記憶されている情報の設定変更を行う。
加入者情報データベース５０８に記憶されている情報のうち設定変更が可能な情報には、発信者ＩＤ、プレゼンス情報、音源ＩＤ、近距離判断用閾値が存在する。呼出音パターン情報データベース５０６に記憶されている情報のうち設定可能な情報には、発信者ＩＤ、呼出音パターンが存在する。音源データベース５０９に記憶されている情報のうち設定変更が可能な情報には、音源ＩＤ、ディレクトリ／ファイル名が存在する。
【００２４】
ユーザ間距離演算部５０３は、発信側端末１０ａ及び着信側端末１０ｂ各々が在圏する基地局装置２０ａ，２０ｂ各々の位置を、発信側端末１０ａ及び着信側端末１０ｂ各々の位置情報として基地局位置情報データベース５０７から取得し、これらの位置情報に基づき発信側端末１０ａと着信側端末１０ｂとの距離を演算する。
なお、発信側端末１０ａ及び着信側端末１０ｂ各々の位置情報の取得方法は上記に限定されることはなく、例えば、発信側端末１０ａ及び着信側端末１０ｂにＧＰＳ（Global Positioning System）受信機を搭載することによって位置情報を取得してもよい。
【００２５】
ユーザ状態判定部５０４は、発信側端末１０ａから着信側端末１０ｂに発信があった時に、加入者情報管理装置４０から着信者のプレゼンス情報を取得することにより、着信者の置かれている状態を判定する。
音源検索処理部５０５は、発信側端末１０ａから呼出音として出力すべき音源データを、音源データベース５０９から検索して取得する。
音源決定部５１０は、発信側端末１０ａから着信側端末１０ｂに発信があった時に、発信側端末１０ａから呼出音として出力すべき音源データを決定する。
本実施形態では、音源決定部５１０は、発信側端末１０ａの発信者ＩＤと着信側端末１０ｂの着信者ＩＤとに対応付けられて呼出音パターン情報データベース５０６に記憶されている呼出音パターンを、発信側端末１０ａから出力すべき音源データとして決定する。
【００２６】
また、音源決定部５１０は、上記呼出音パターンに距離が含まれており、かつ、加入者情報データベース５０８の「近距離判断用閾値」に値が設定されている場合であって、かつ、ユーザ間距離演算部５０３により演算された距離が当該「近距離判断用閾値」以下である場合には、発信側端末１０ａが近距離に存在することを通知するための音源データ（本実施形態では、図３に示す音源ＩＤ「０ｘ３００００」の音源データ）を、発信側端末１０ａから出力すべき距離に関連する音源データとして決定する。一方、ユーザ間距離演算部５０３により演算された距離が加入者情報データベース５０８の「近距離判断用閾値」を超えており、かつ、呼出音パターンとして距離のみが指定されている場合は、通常ガイダンス（すなわち、通常呼出音）を、発信側端末１０ａから出力すべき音源データとして決定する。
【００２７】
また、音源決定部５１０は、呼出音パターンに距離が含まれる場合であって、加入者情報データベース５０８の「近距離判断用閾値」に値が設定されていない場合には、ユーザ間距離演算部５０３により演算された距離を通知するための音源データ（本実施形態では、図３に示す音源ＩＤ「０ｘ２００００」、「０ｘ２０００１」等の音源データ）を、発信側端末１０ａから出力すべき音源データとして決定する。
通信制御部５０１は、通信インターフェースを含んで構成され、外部装置との通信を制御する。例えば、通信制御部５０１は、発信側端末１０ａから着信側端末１０ｂへの発信があった旨の通知を受けると、発信側端末１０ａから呼出音として出力するための音源データを発信側端末１０ａに配信する（「呼出音配信手段」に対応）。
【００２８】
（動作）
次いで、上記構成の各装置の動作について、図９に示すシーケンス図を用いて説明する。
まず、発信者は発信側端末１０ａに着信側端末１０ｂの電話番号を入力し、接続要求の入力を行う。これにより発信側端末１０ａは発信要求を送信する（ステップＳ１０００）。
発信者側の交換機３０ａは、着信側端末１０ｂが在圏している交換機３０ｂの情報と、加入者情報管理装置４０で管理されている着信者のプレゼンス情報とを加入者情報管理装置４０に対して要求し、加入者情報管理装置４０から取得する（ステップＳ１０１０）。
【００２９】
発信者側の交換機３０ａは、着信側端末１０ｂが在圏している交換機３０ｂに対し、在圏情報の取得要求を行う（ステップＳ１０２０）。これは着信側端末１０ｂが通話中か否か、電源が入っていない若しくは電波が届かないため通信圏外であるか否かを確認する事に加え、着信側端末１０ｂが現在在圏している無線の基地局情報をリアルタイムに把握することを目的とする。
【００３０】
着信者側の交換機３０ｂは、発信者側の交換機３０ａから受けた在圏情報取得要求を着信側端末１０ｂに対して送信し、在圏情報（基地局ＩＤや、通話中、圏外、圏内等の通信可否状態に加え、どの基地局装置２０ｂを利用しているのかという情報）を取得する（ステップＳ１０３０）。着信者側の交換機３０ｂは、ステップＳ１０３０で取得した在圏情報を、発信者側の交換機３０ａに対し、ステップＳ１０２０の応答として返す（ステップＳ１０４０）。
【００３１】
発信者側の交換機３０ａは、ステップＳ１０４０で通知された在圏情報に基づき、何らかの理由で着信側端末１０ｂとの通話が行えない場合は、発信側端末１０ａに対し通話不可の情報を返す（ステップＳ１０５０：ＮＯ）。そして、その直後に、発信者側の交換機３０ａは、通話不可理由に該当する音源データを発信側端末１０ａに対して配信する（ステップＳ２０００）。
一方、ステップＳ１０５０において着信側端末１０ｂとの通話が可能と判断されると（ステップＳ１０５０：ＹＥＳ）、発信者側の交換機３０ａは、呼出音管理装置５０に対し、ステップＳ１０４０で取得した着信側端末１０ｂの在圏情報と、ステップＳ１０１０で取得した発信側端末１０ａの在圏情報及びプレゼンス情報とを通知する（ステップＳ１０６０）。
【００３２】
呼出音管理装置５０の音源決定部５１０は、発信側端末１０ａから出力すべき音源データの決定に当たり、ステップＳ１０６０において発信者側の交換機３０ａから通知された発信者と着信者との両者の在圏情報を利用する必要があるか、若しくは着信者のプレゼンス情報を利用する必要があるかを判断するため、どの呼出音パターンで音源データを配信する必要があるかを判定する。具体的には、音源決定部５１０は、発信側端末１０ａの発信者ＩＤと着信側端末１０ｂの着信者ＩＤとに対応付けられて呼出音パターン情報データベース５０６に記憶されている呼出音パターンを検索し取得する。
【００３３】
取得した呼出音パターンに距離が含まれている場合、ユーザ間距離演算部５０３は、ステップＳ１０６０において発信者側の交換機３０ａから通知された発信側端末１０ａと着信側端末１０ｂとの在圏情報各々に含まれる基地局ＩＤに対応する緯度及び経度（すなわち、位置情報）を、基地局位置情報データベース５０７から抽出し、これら２つの位置情報を基に２点間の距離を算出する。ここで、加入者情報データベース５０８の発信者ＩＤと着信者ＩＤとに対応する「近距離判断用閾値」に値が設定されている場合は、音源決定部５１０は、近距離判断用閾値を用いて、発信側端末１０ａから出力すべき音源データを決定する必要があると判断する。そして、音源決定部５１０は、ユーザ間距離演算部５０３が算出した距離が近距離判定用閾値以下である場合にのみ、ガイダンス「接続先の端末は近くにいます」を出力するための音源データに対応する音源ＩＤ「０ｘ３００００」を、距離に関連する音源ＩＤとしてメモリに記憶する。一方、加入者情報データベース５０８の「近距離判断用閾値」に値が設定されていない場合は、音源決定部５１０は、ユーザ間距離演算部５０３により算出した距離を通知するためのガイダンスを発信側端末１０ａから出力すべきと判断し、算出した距離Ｄに応じて、「接続先の端末は半径Ｄｍ以内にいます」という音源データに対応する音源ＩＤ「０ｘ２００００」、「０ｘ２０００１」、・・・等を、距離に関連する音源ＩＤとしてメモリに記憶する。
【００３４】
一方、呼出音パターンが着信者のプレゼンス情報を含んでいる場合、音源決定部５１０は、ステップＳ１０６０において通知された着信者のプレゼンス情報と発信者ＩＤと着信者ＩＤとに対応する音源ＩＤを加入者情報データベース５０８から取得し、プレゼンス情報に関連する音源ＩＤとしてメモリに記憶する（ステップＳ１０７０）。
ここで、ステップＳ１０７０において発信者ＩＤが加入者情報データベース５０８に登録されていれば該当する音源ＩＤを取得できるが、発信者ＩＤもしくは着信者ＩＤが加入者情報データベース５０８に未登録の場合、呼出音管理装置５０の音源決定部５１０は、交換機が具備している通常の呼出音を配信するよう発信者側の交換機３０ａに要求する（ステップＳ１０８０：ＮＯ）。すると、発信者側の交換機３０ａは、発信側端末１０ａに対して発信準備が完了した旨を通知し（ステップＳ２１００）、その直後に発信側端末１０ａに対して通常の呼出音の配信を行う（ステップＳ２１１０）。
【００３５】
一方、加入者情報データベース５０８に発信者ＩＤが登録されている場合は（ステップＳ１０８０：ＹＥＳ）、呼出音管理装置５０は発信者側の交換機３０ａに対して呼出音配信準備が完了した旨を通知する（ステップＳ１０９０）。
これにより、発信者側の交換機３０ａは、発信側端末１０ａに対して発信準備が完了した旨を通知し（ステップＳ１１００）、その直後に、呼出音管理装置５０の音源検索処理部５０５は、ステップＳ１０７０でメモリに記憶しておいた１又は複数の音源ＩＤに該当する音源データを、音源データベース５０９から検索により取得する。そして、通信制御部５０１は、発信者側交換機３０ａを経由して発信側端末１０ａに向けて、取得した音源データを配信する（ステップＳ１１１０）。
【００３６】
ステップＳ１１１０で呼出音管理装置５０から発信側端末１０ａに対して音源データが配信されている間、発信者側の交換機３０ａは着信者側の交換機３０ｂに対し呼出要求を行う（ステップＳ１１２０）。
前述の呼出要求を受けた着信者側の交換機３０ｂは、着信側端末１０ｂに対し同様の呼出要求を行う。すると、着信側端末１０ｂで呼出音が鳴り、オフフック待ち状態となる（ステップＳ１１３０）。
着信者がステップＳ１１３０で呼出中の着信側端末１０ｂに対してオフフック操作を行うと、着信側端末１０ｂから着信者側の交換機３０ｂに対し、オフフック信号が送出される（ステップＳ１１４０）。
【００３７】
すると、着信者側の交換機３０ｂは発信者側の交換機３０ａに対し、接続が完了した旨を通知し（ステップＳ１１５０）、発信側端末１０ａと着信側端末１０ｂとの間での通話が可能となる（ステップＳ１１６０）。
さらに、音源データ配信のために利用した着信者側の交換機３０ａ及び呼出音管理装置５０の回線リソースを開放するために、着信者側の交換機３０ａから呼出音管理装置５０に対し接続完了通知を行う（ステップＳ１１７０）。以上で、移動通信ネットワークを構成する各装置の動作が終了する。
【００３８】
以上のように、呼出音管理装置５０は、発信側端末１０ａから着信側端末１０ｂへの発信時に、発信側端末１０ａと着信側端末１０ｂとの距離に基づいて、発信側端末１０ａから出力すべき音源データを決定し、当該決定された音源データを発信側端末１０ａへ配信するため、距離に関連する音源データを発信側端末１０ａから呼出音として出力することができる。これにより、発信者は、発信側端末１０ａと着信側端末１０ｂとの通信が確立する以前の段階で、着信者との位置関係を知ることが可能となる。このように、回線交換方式による一般的な通話形態の中で利用されている呼出音を利用して、発信者は着信者との位置関係を確認することができ、さらに、呼出パターンの設定の仕方によっては、着信者のプレゼンス情報や居る場所を確認する事もできる。
【００３９】
なお、上述した実施形態では、呼出音管理装置５０と呼出音設定変更装置６０とは別々の装置であるとして説明したが、呼出音管理装置５０が呼出音設定変更装置６０の機能を備えており、着信側端末１０ｂからの設定変更要求が直接呼出音管理装置５０に送信されるようにしてもよい。また、音源データは、通知メッセージに限らず、楽曲でもよい。また、上述した実施形態では、呼出音パターン情報データベース５０６を用いて発信側端末１０ａから出力すべき音源データを決定するとして説明したが、これに限定されることはなく、例えば、常に距離に基づいて決定された音源データのみを、発信側端末１０ａから出力すべき音源データとして決定するようにしてもよい。
【図面の簡単な説明】
【００４０】
【図１】本発明の実施形態に係る移動通信ネットワークの全体構成を示す図である。
【図２】同実施形態に係る呼出音管理装置の機能構成を示すブロック図である。
【図３】同実施の形態に係る音源データベースのデータ構成の一例を示す図である。
【図４】同実施形態に係る加入者情報データベースのデータ構成の一例を示す図である。
【図５】同実施形態に係る近距離用判断閾値を用いて決定される音源データの一例を示す図である。
【図６】同実施形態に係る近距離用判断閾値を用いないで決定される距離に関連する音源データの一例を示す図である。
【図７】同実施形態に係る基地局位置情報データベースのデータ構成の一例を示す図である。
【図８】同実施形態に係る呼出音パターン情報データベースのデータ構成の一例を示す図である。
【図９】同実施形態に係る移動通信ネットワークを構成する各装置の動作を示すシーケンス図である。
【符号の説明】
【００４１】
１０ｘ  移動通信端末
１０ａ  発信側端末
１０ｂ  着信側端末
２０ｘ  基地局装置
３０ｘ  交換機
４０    加入者情報管理装置
５０    呼出音管理装置
５０１  通信制御部
５０２  設定変更処理部
５０３  ユーザ間距離演算部
５０４  ユーザ状態判定部
５０５  音源検索処理部
５１０  音源決定部
５０６  呼出音パターン情報データベース
５０７  基地局位置情報データベース
５０８  加入者情報データベース
５０９  音源データベース
６０    呼出音設定変更装置
【図１】
0004695668.tif 000002
【図２】
0004695668.tif 000003
【図３】
0004695668.tif 000004
【図４】
0004695668.tif 000005
【図５】
0004695668.tif 000006
【図６】
0004695668.tif 000007
【図７】
0004695668.tif 000008
【図８】
0004695668.tif 000009
【図９】
0004695668.tif 000010